(57)【要約】【課題】  可動接点の摺動時のガタの発生を抑えると共に、接点部へのゴミ等の侵入を防止して接点部の接触信頼性を向上できるスイッチ装置を提供する。【解決手段】  収納部を有するハウジング１と、収納部に配設された複数の固定接点２と、固定接点２と摺接する可動接点６を有し、ハウジング１にスライド移動可能に収容された駆動部材４と、ハウジング１の収納部を覆うカバー７とを備え、収納部には、固定接点２が配設される第１の収納部１ｄと、駆動部材４が収容される第２の収納部１ｅを設け、第１の収納部１ｄと第２の収納部１ｅとの間には、収納部の内底面よりハウジング１の上面部方向へ突出する連続した塀状の隔壁１ｃを形成した。【選択図】        図４
2005267929.tif 000002
【特許請求の範囲】
【請求項１】
収納部を有するハウジングと、前記収納部に配設された複数の固定接点と、これらの固定接点と摺接する可動接点を有し、前記ハウジングにスライド移動可能に収容された駆動部材と、前記ハウジングの収納部を覆うカバーとを備え、前記収納部には、前記固定接点が配設される第１の収納部と、前記駆動部材が収容される第２の収納部を設け、前記第１の収納部と第２の収納部との間には、前記収納部の内底面より前記ハウジングの上面部方向へ突出する連続した塀状の隔壁を形成したことを特徴とするスイッチ装置。
【請求項２】
前記可動接点は、前記駆動部材に一体に埋設されて形成されており、その接点部が前記駆動部材の上面近傍から延出された繋ぎ桟部により前記駆動部材本体から突出して保持されていることを特徴とする請求項１記載のスイッチ装置。
【請求項３】
前記第２の収納部に前記駆動部材が収容され、前記可動接点の繋ぎ桟部が前記ハウジングの隔壁の上面に掛け渡された状態で、前記可動接点が前記第１の収納部に収容されると共に、前記駆動部材のスライド移動に伴って、前記可動接点の接点部が、前記第１の収納部に配設された前記固定接点と摺接するようにしたことを特徴とする請求項２記載のスイッチ装置。
【発明の詳細な説明】
【技術分野】
【０００１】
本発明は、電子機器等の各種信号の切換え用として使用されるスライド操作型のスイッチ装置に関する。
【背景技術】
【０００２】
従来のスイッチ装置の構造としては、基板の底面に複数の固定接片を配設し、この基板にスライド移動可能に保持されたスライド部材に可動接片を保持して、この可動接片の接点部を、固定接片に選択的に接触させるようにした構成のものが知られている（例えば、特許文献１参照）。
【０００３】
以下、従来のスイッチ装置の構造を図に基づいて説明する。
図５は従来のスイッチ装置の分解斜視図である。
【０００４】
従来のスイッチ装置は、複数の固定接片１５を配した基板１０と、つまみ部１６ａを有しこのつまみ部１６ａの操作により基板１０上を固定接片１５の配列方向に移動するスライド部材１６と、スライド部材１６に保持されこのスライド部材１６とともに移動して複数の固定接片１５に選択的に接触する可動接片２０とからなっている。
【０００５】
基板１０は樹脂製の絶縁性基板で中央には３つの固定接片１５が並べて配設されており、この固定接片１５には図示しない配線基板に取り付けられるピン状端子１５ａが下方に突出して形成されている。また、基板１０の下面には配線基板に位置決めされる位置決めピン１２が突設され、一側面には節度付与用の凸部１４が形成されている。
【０００６】
スライド部材１６は、樹脂成形品で、位置側面につまみ部１６ａが凸設されており、下面には開放する凹入部１７が形成され、この凹入部１７に可動接片２０が収容されて保持されている。スライド部材１６の下面は基板１０の上面に摺接する基板摺動面Ａとされ、また、両側には下方に突出する突片１８が設けられ、この内側面が基板１０の側面に摺接する基板摺動面Ｂとされている。また、一側面の中央には基板１０の節度付与用凸部１４と摺接する突起１９ａを有する節度付与片１９が形成されている。
【０００７】
可動接片２０は、導電性金属板を曲げ加工しており、一対のクリップ部２１を有しこのクリップ部２１の両側板部に固定設片１５と摺接する接点部２１ａが突設されている。そして、スライド部材１６は凹入部１７に収容した可動接片２０のクリップ部２１を基板１０上の固定接片１５に嵌装させた状態で、基板摺動面Ａ及びＢを基板１０の上面及び側面に接面させて基板１０に摺動可能に保持されている。
【０００８】
上記スイッチ装置は、スライド部材１６をつまみ部１６ａのスライド操作により移動させてスイッチの切換えを行なうものであり、基板１０上の複数の固定接片１５上を可動接片２０が摺動することにより各固定接片１５が可動接片２０を介して接続されてオン状態となる。
【０００９】
【特許文献１】特開平８−１６１９７１号公報
【発明の開示】
【発明が解決しようとする課題】
【００１０】
しかしながら、上述した従来のスイッチ装置の構造においては、基板にスライド移動可能に保持されたスライド部材に固定接片（固定接点）と摺接する可動接片（可動接点）が保持されており、このスライド部材には外部操作用のつまみ部が一体に突出されているので、つまみ部が突出するセットなどの開口から接点部へゴミや埃などの異物が侵入し易く、接触が不安定となり、接触信頼性が低下するという問題があった。また、スライド部材に可動接片を遊嵌した状態で保持しているため、スライド部材の摺動時に可動接片にガタが発生し易いという問題があった。
【００１１】
したがって、本発明では上述した問題点を解決し、可動接点の摺動時のガタの発生を抑えると共に、接点部へのゴミ等の侵入を防止して接点部の接触信頼性を向上できるスイッチ装置を提供することを目的とする。
【課題を解決するための手段】
【００１２】
上記課題を解決するために本発明では第１の解決手段として、収納部を有するハウジングと、前記収納部に配設された複数の固定接点と、これらの固定接点と摺接する可動接点を有し、前記ハウジングにスライド移動可能に収容された駆動部材と、前記ハウジングの収納部を覆うカバーとを備え、前記収納部には、前記固定接点が配設される第１の収納部と、前記駆動部材が収容される第２の収納部を設け、前記第１の収納部と第２の収納部との間には、前記収納部の内底面より前記ハウジングの上面部方向へ突出する連続した塀状の隔壁を形成した構成とした。
【００１３】
また、第２の解決手段として、前記可動接点は、前記駆動部材に一体に埋設されて形成されており、その接点部が前記駆動部材の上面近傍から延出された繋ぎ桟部により前記駆動部材本体から突出して保持されている構成とした。
また、第３の解決手段として、前記第２の収納部に前記駆動部材が収容され、前記可動接点の繋ぎ桟部が前記ハウジングの隔壁の上面に掛け渡された状態で、前記可動接点が前記第１の収納部に収容されると共に、前記駆動部材のスライド移動に伴って、前記可動接点の接点部が、前記第１の収納部に配設された前記固定接点と摺接する構成とした。
【発明の効果】
【００１４】
上述したように、本発明のスイッチ装置は、収納部を有するハウジングと、収納部に配設された複数の固定接点と、固定接点と摺接する可動接点を有し、ハウジングにスライド移動可能に収容された駆動部材と、ハウジングの収納部を覆うカバーとを備え、収納部には、固定接点が配設される第１の収納部と、駆動部材が収容される第２の収納部を設け、第１の収納部と第２の収納部との間には、収納部の内底面よりハウジングの上面部方向へ突出する連続した塀状の隔壁を形成したことから、収納部の内底面よりハウジングの上面部方向へ突出する連続した塀状の隔壁によって固定接点が配設される第１の収納部と、駆動部材が収容される第２の収納部とを分離したので、接点部が配設された第１の収納部へのゴミ等の侵入を防止することができ、接触信頼性の向上が図れる。
【００１５】
また、可動接点は、駆動部材に一体に埋設されて形成されており、その接点部が駆動部材の上面近傍から延出された繋ぎ桟部により駆動部材本体から突出して保持されていることから、可動接点が駆動部材と一体に形成されているので、駆動部材の摺動時の可動接点のガタが抑えられ安定した接触が得られる。
また、第２の収納部に駆動部材が収容され、可動接点の繋ぎ桟部がハウジングの隔壁の上面に掛け渡された状態で、可動接点が第１の収納部に収容されると共に、駆動部材のスライド移動に伴って、可動接点の接点部が、第１の収納部に配設された固定接点と摺接するようにしたことから、駆動部材と可動接点との間を隔壁によって確実に分離することができるので、接点部へのゴミの侵入を防止できる。
【発明を実施するための最良の形態】
【００１６】
以下、本発明のスイッチ装置の実施形態を図１乃至図４に示す。図１は本発明のスイッチ装置の分解斜視図、図２は本発明のスイッチ装置の平面図、図３は図２の３−３線における断面図、図４は本発明のスイッチ装置のカバーを外した状態を示す平面図である。
【００１７】
図において、ハウジング１は、合成樹脂などの絶縁材で内部に凹状の収納部を有する上面開口状の箱型に形成されている。また、ハウジング１の一側面側の中央には、収納部から外方へ開口する長溝状の窓孔１ａが設けられている。また、前記ハウジング１の窓孔１ａが設けられた一側面側と、これと対向する他側面側の四隅部には、一対の係合突部１ｂ、１ｂが設けられており、これらの係合突部１ｂ、１ｂに後述するカバー７の係合片７ｃ、７ｃが係止されてカバー７がハウジング１の上面側に嵌着されるものとなっている。
【００１８】
また、前記ハウジング１の収納部の内底面の中央には、収納部の内底面より前記ハウジング１の上面部方向へ突出する連続した塀状の隔壁１ｃが設けられており、この隔壁１ｃを挟んで両側に第１の収納部１ｄと、第２の収納部１ｅが設けられている。このうち一方の第２の収納部１ｅには、後述する駆動部材４がスライド移動する際に、その移動を案内するガイド突部１ｆが設けられている。また、このガイド突部１ｆの中央部分には切り欠き部が設けられ、この切り欠き部の対向する両端面が後述する弾性部材である復帰ばね５の両巻き端の当接部１ｇ、１ｇとなっている。
【００１９】
また、他方の前記第１の収納部１ｄには、導電性の金属板からなる複数の固定接点２が配設されている。この固定接点２は、黄銅等の薄板金属板で形成され、その基部がインサート成形などの方法でハウジング１の内底部に一体に埋設されている。また、固定接点２には、その一端が第１の収納部１ｄの内底面から表出して立設された中央接点部２ａと、この中央接点部２ａを挟んで両側に立設された一対の周辺接点部２ｂ、２ｃとが設けられており、中央接点部２ａと周辺接点部２ｂ、２ｃとが後述する駆動部材４のスライド移動方向に沿って横に一列に並んで設けられている。
【００２０】
また、前記固定接点２の他端側には、電子機器等の図示しない回路基板の回路パターン等に接続される接続端子部３が設けられている。この接続端子部３は、前記ハウジング１の底面部内で前記固定接点２の基部と電気的に接続されており、ハウジング１の対向する両側面部から外方へ突出されて形成されている。この接続端子部３が、回路基板の回路パターン等と接続されて接点部の切換え信号が出力されるものとなっている。
【００２１】
駆動部材４は、合成樹脂等の絶縁材で略方形状に形成されたスライド部４ａとこのスライド部４ａの一方の側面部から突出された操作部４ｂとを有している。前記スライド部４ａの下面側の中央には、駆動部材４を中立位置に復帰させるための弾性部材であるコイル状の復帰ばね５を保持（収容）する凹溝部（図示せず）が設けられており、この凹溝部の両側に連続して凹溝部よりも細幅のガイド溝部４ｃが設けられている。このガイド溝部４ｃが前記第２の収納部１ｅのガイド突部１ｆと摺動可能に係合することにより、前記駆動部材４のスライド部４ａが第２の収納部１ｅ内にスライド移動可能に収容されるものとなっている。
【００２２】
このように、駆動部材４を中立位置に復帰させるための弾性部材を、コイル状の復帰ばね５で形成し、このコイル状の復帰ばね５を前記駆動部材４のスライド部４ａの下面に設けた凹溝部に保持するようにしたので、簡単な構造のコイル状のばねを用いることで前記駆動部材４を確実に中立位置に自己復帰させることができる。
【００２３】
また、前記駆動部材４のスライド部４ａの他方の側面部には、ばね用リン青銅等の導電性の薄板金属板からなる可動接点６が保持されており、この可動接点６は、その基部が前記スライド部４ａの内部にインサート成形などの方法で一体に埋設されて形成されている。また、前記スライド部４ａの他方の側面部の両端からは、略コ字状をした繋ぎ桟部６ａが延出されており、この繋ぎ桟部６ａの中央部に一対のクリップ状の接点部６ｃ、６ｃが形成されている。
【００２４】
また、前記可動接点６は、前記繋ぎ桟部６ａから下方へ延設する一対の対向したアーム部６ｂ、６ｂを有し、このアーム部６ｂ、６ｂの先端に前記駆動部材４のスライド移動方向（アーム部６ｂから９０度曲げた方向）に沿って延出する一対の前記クリップ状の接点部６ｃ、６ｃが設けられている。また、前記アーム部６ｂ、６ｂの中央には、空洞部６ｄが形成されており、この空洞部６ｄを挟んで両側に前記クリップ状の接点部６ｃ、６ｃが設けられている。
【００２５】
そして、前記駆動部材４のスライド部４ａが前記第２の収納部１ｅに収容されて中立位置にある時には、前記可動接点６は、前記空洞部６ｄが前記固定接点２の中央接点部２ａ上を覆うように離間した状態で配置されると共に、前記クリップ状の接点部６ｃ、６ｃが前記中央接点部２ａの両側に配設された周辺接点部２ｂ、２ｃとは離間した状態で配置されるものとなっている。
【００２６】
このように、前記可動接点６の中央に前記空洞部６ｄを形成し、この空洞部６ｄを挟んで両側に、前記駆動部材４のスライド方向に沿って延出する一対のクリップ状の接点部６ｃ、６ｃを設け、前記駆動部材４の中立位置では、前記空洞部６ｄに前記固定接点２の中央接点部２ａを位置させると共に、前記クリップ状の接点部６ｃ、６ｃを前記固定接点２とは離間させて配置したことから、初期状態では可動接点６が固定接点２とフリーの状態となっているので、組立時の作業性が容易となり、接点部の変形、損傷等を防止できるものとなっている。
【００２７】
そして、駆動部材４が前記ハウジング１の第１及び第２の収納部１ｄ、１ｅに収容されて、第２の収納部１ｅに収容されたスライド部４ａの操作部４ｂが、前記ハウジング１の窓孔１ａにスライド操作可能に挿入されると共に、窓孔１ａを介して、操作部４ｂが操作されるのに伴って、前記駆動部材４は前記ハウジング１の第１及び第２の収納部１ｄ、１ｅ内をスライド移動するものとなっている。
【００２８】
また、前記ハウジング１の第１及び第２の収納部１ｄ、１ｅの間には、収納部の内底面より前記ハウジング１の上面部方向へ突出する連続した塀状の前記隔壁１ｃが設けられており、前記第２の収納部１ｅに前記駆動部材４のスライド部４ａが収容された際には、前記可動接点６の繋ぎ桟部６ａが前記ハウジング１の前記隔壁１ｃの上面に掛け渡された状態で、前記可動接点６が前記第１の収納部１ｄに収容されるようになっている。
【００２９】
そして、前記駆動部材４のスライド移動に伴って、前記可動接点６の接点部６ｃが、前記第１の収納部１ｄに配設された前記固定接点２と摺接するようにしたことから、前記駆動部材４と可動接点６との間を前記隔壁１ｃによって確実に分離することができるので、接点部へのゴミの侵入を防止できるものとなっている。
【００３０】
カバー７は、金属板を打ち抜き折り曲げて略方形状に形成されており、平板状の上板部７ａと、この上板部７ａの四隅部から下方に９０度折り曲げられ垂下された取付板部７ｂとを有している。また、この取付板部７ｂの先端側には、外方に向かってＬ字状に延出する係合片７ｃが設けられており、この係合片７ｃが前記ハウジング１の対向する側面部に形成された前記係合突部１ｂに係合されてカバー７がハウジング１の上面側に嵌着されるものとなっている。
【００３１】
次に、上記構成のスイッチ装置の動作を説明する。
まず、図４に示すように、操作部４ｂに外力が加わっていない状態では、駆動部材４は中立位置に保持されている。この時、駆動部材４のスライド部４ａはハウジング１の第２の収納部１ｅのガイド突部１ｆにガイド溝部４ｃが係合されて、左右のスライド方向に移動可能な状態で復帰ばね５によって中立位置に付勢されて保持されている。
【００３２】
この時、駆動部材４に一体に保持された可動接点６は、第１の収納部１ｄに配設された固定接点２の中央接点部２ａを、中央に設けられたアーム部６ｂ間の空洞部６ｄが覆うように配置されると共に、両側に設けられた一対のクリップ状の接点部６ｃ、６ｃが、中央接点部２ａの両側に配設された周辺接点部２ｂ、２ｃとは離間された状態で配置された状態となっており、可動接点６と固定接点２とは離間されてスイッチはオフ状態となっている。
【００３３】
この状態から、操作部４ｂに、例えば、図４の矢印Ａで示す左方向の外力が加わった時には、スライド部４ａも図示左方向へ移動し、これに伴って駆動部材４が復帰ばね５の付勢力に抗して図示左方向へスライド移動する。
【００３４】
そして、駆動部材４に一体に保持された可動接点６が、駆動部材４の移動に伴って図示左方向にスライド移動することにより、可動接点６の一対のクリップ状の接点部６ｃ、６ｃが、固定接点２の中央接点部２ａと周辺接点部２ｂとに接触するものとなり、固定接点２の中央接点部２ａと周辺接点部２ｂとが、可動接点６を介して接続されてスイッチがオン状態となる。そして、オン信号が固定接点２から導出された接続端子部３を介して外部の電子機器等の制御回路へ出力されるものとなる。
【００３５】
この状態から、操作部４ｂへの外力が除去されると、スライド部４ａが復帰ばね５の付勢力で図示右方向へスライド移動するのに伴って、駆動部材４は図示右方向へ移動して初期位置へ復帰するものとなる。この時、可動接点６も図示右方向へスライド移動されて一対のクリップ状の接点部６ｃ、６ｃが固定接点２の中央接点部２ａ及び周辺接点部２ｂと離間してスイッチがオフ状態となる。
【００３６】
尚、操作部４ｂが図示右方向である反対方向へ操作された場合においても同様な動作となることからその説明は省略する。
このように、前記可動接点６は、前記駆動部材４に一体に埋設されて形成されており、前記クリップ状の接点部６ｃ、６ｃが前記駆動部材４の上面近傍から延出された繋ぎ桟部６ａにより前記駆動部材４の本体から突出して保持されていることから、前記可動接点６が前記駆動部材４と一体に形成されているので、前記駆動部材４の摺動時の可動接点６のガタが抑えられ安定した接触が得られるものとなっている。
【００３７】
尚、上記実施例では、コイル状の前記復帰ばね５を前記駆動部材４のスライド部４ａの下面に設けた凹溝部に保持するようにして、自己復帰型のスイッチ装置として説明したが、これに限らず、中立位置に自己復帰させる必要がない場合には、復帰ばね５の装着を行なわないようにすることにより、駆動部材４を操作した方向の操作位置へ保持（ロック）させる切換えタイプのスイッチ装置を構成することもできる。  また、別途、凹凸状のカムからなるクリックカム部（図示せず）を、ハウジング１や駆動部材４に形成して互いに係脱させるようにすれば、クリック機構付のスイッチ装置を構成することもできる。
【００３８】
上記した本発明の実施例によれば、前記固定接点２と摺接する可動接点６を有し、前記ハウジング１にスライド移動可能に収容される前記駆動部材４を収容する収納部に、前記固定接点２が配設される第１の収納部１ｄと、前記駆動部材４が収容される第２の収納部１ｅを設けて、前記第１の収納部１ｄと第２の収納部１ｅとの間に、収納部の内底面より前記ハウジング１の上面部方向へ突出する連続した塀状の前記隔壁１ｃを形成したことから、収納部の内底面より前記ハウジング１の上面部方向へ突出する連続した塀状の前記隔壁１ｃによって前記固定接点２が配設される前記第１の収納部１ｄと、前記駆動部材４が収容される前記第２の収納部１ｅとを分離したので、前記固定接点２や可動接点６が配設された前記第１の収納部１ｄへのゴミ等の侵入を防止することができ、接触信頼性の向上が図れるものとなっている。
【図面の簡単な説明】
【００３９】
【図１】本発明のスイッチ装置を示す分解斜視図である。
【図２】本発明のスイッチ装置を示す平面図である。
【図３】本発明の図２の３−３線における断面図である。
【図４】本発明のスイッチ装置のカバーを外した状態を示す平面図である。
【図５】従来のスイッチ装置を示す分解斜視図である。
【符号の説明】
【００４０】
１：ハウジング
１ａ：窓孔
１ｂ：係合突部
１ｃ：隔壁
１ｄ：第１の収納部
１ｅ：第２の収納部
１ｆ：ガイド突部
１ｇ：当接部
２：固定接点
２ａ：中央接点部
２ｂ：周辺接点部
２ｃ：周辺接点部
３：接続端子部
４：駆動部材
４ａ：スライド部
４ｂ：操作部
４ｃ：ガイド溝部
５：復帰ばね
６：可動接点
６ａ：繋ぎ桟部
６ｂ：アーム部
６ｃ：接点部
６ｄ：空洞部
７：カバー
７ａ：上板部
７ｂ：取付板部
７ｃ：係合片
【図１】
2005267929.tif 000003
【図２】
2005267929.tif 000004
【図３】
2005267929.tif 000005
【図４】
2005267929.tif 000006
【図５】
2005267929.tif 000007